(57)【要約】【課題】Ｔシャツやトレーナーなど丸首の衣服をスムーズに着脱可能な開閉式ハンガーを提供する。【解決手段】ヒンジ部４を介して左右に開閉可能に接合された左アーム部１と右アーム部２と、ヒンジ部４の上方に形成された吊り具部３とからなる開閉式ハンガー１０であって、左右のアーム部１，２を開く方向に付勢する開方向付勢手段５と、左右のアーム部１，２を開状態で保持する開状態保持手段１４，２４を備え、左右のアーム部１，２はそれぞれ、ヒンジ部４から下方に向けて延びる支持部１１，２１と、支持部１１，２１の先端を折曲部１２，２２としてその折曲部１２，２２から折曲されて外側に向けて延びる衣服受け部１３，２３により形成される。【選択図】図１
2006218278.tif 000002
【特許請求の範囲】
【請求項１】
ヒンジ部を介して左右に開閉可能に接合された左アーム部と右アーム部と、前記ヒンジ部の上方に形成され物干し竿等の棒状部材に吊り下げられる吊り具部とからなる開閉式ハンガーであって、
前記左右のアーム部を開状態で保持する開状態保持手段を備え、
前記左右のアーム部はそれぞれ、前記ヒンジ部から下方に向けて延びる支持部と、前記支持部の先端を折曲部としてその折曲部から折曲されて外側に向けて延びる衣服受け部により形成されており、
前記左右のアーム部が閉状態のとき、前記左アーム部の折曲部は前記左右のアーム部を２分する中心線より右側に突出し、前記右アーム部の折曲部は前記中心線より左側に突出するとともに、前記左アーム部の衣服受け部は左下方向に傾斜し、前記右アーム部の衣服受け部は右下方向に傾斜し、さらに前記左右のアーム部の先端の間隔を、ハンガーで吊り下げられる衣服のえり天幅よりも狭くしたことを特徴とする開閉式ハンガー。
【請求項２】
前記左右のアーム部を開く方向に付勢する開方向付勢手段をさらに備えたことを特徴とする請求項１に記載の開閉式ハンガー。
【請求項３】
前記左右のアーム部を閉じる方向に付勢する閉方向付勢手段をさらに備えたことを特徴とする請求項１に記載の開閉式ハンガー。
【請求項４】
前記開状態保持手段は、前記左アーム部の上端に形成された左吊り具部と前記右アーム部の上端に形成された右吊り具部からなり、前記左吊り具部と前記右吊り具部が前記棒状部材に吊り下げられるとともに前記棒状部材を左右から挟持して、前記左右のアーム部を開状態で保持することを特徴とする請求項１乃至請求項３のうちいずれか一つに記載の開閉式ハンガー。
【請求項５】
前記開状態保持手段は、前記左右のアーム部の一方の上端に形成された吊り具部と他方の上端に形成された係止部からなり、前記吊り具部が前記棒状部材に吊り下げられるとともに、前記吊り具部と前記係止部が前記棒状部材を左右から挟持して、前記左右のアーム部を開状態で保持することを特徴とする請求項１乃至請求項３のうちいずれか一つに記載の開閉式ハンガー。
【請求項６】
前記ヒンジ部に替えてバネ部材を介して左アーム部と右アーム部を左右に開閉可能に接合したことを特徴とする請求項１乃至請求項５のうちいずれか一つに記載の開閉式ハンガー。
【請求項７】
前記左右のアーム部が開状態のとき、前記左右のアーム部の折曲部の間隔を、前記えり天幅と同等にしたことを特徴とする請求項１乃至請求項６のうちいずれか一つに記載の開閉式ハンガー。
【発明の詳細な説明】
【技術分野】
【０００１】
本発明は、衣服を吊り下げるハンガーに関するものである。
【背景技術】
【０００２】
従来から用いられている一般的なハンガーは、フック等の吊り具部と、斜め下方左右に延びるアーム部が一体的に形成されており、左右のアーム部が所定角度で固定された状態となっている。
このようなハンガーにＴシャツやトレーナーなど丸首の衣服を吊り下げる場合には、ハンガーを衣服の下方（腰側の部分）から挿入し、吊り具部を衣服の襟ぐりから出すとともに、アーム部に衣服の襟ぐりから肩にかけての部分が掛かるよう整える必要があるが、衣服をたぐり寄せるなど多くの動作が必要となる。
一方、簡単な方法として、ハンガーのアーム部を片方ずつ衣服の襟ぐりから挿入する方法もあるが、この場合、襟ぐりを本来の大きさよりも広げた状態でアーム部の挿入を行うこととなり、襟ぐりが伸びきったり、最悪の場合裂けてしまうといった不具合が生じる。
【０００３】
こうした問題を解消するものとして、アーム部を左右に開閉可能としたハンガーが数多く提案されている（例えば、特許文献１参照。）。
これらの開閉式ハンガーは、アーム部を閉じた状態で衣服の襟ぐりから挿入し、その後、アーム部を開いて衣服を吊り下げるという方法により使用するものである。
従って、アーム部を襟ぐりから挿入するときに、襟ぐりを無理やり広げる必要がないので、丸首の衣服を傷めずにハンガーに吊り下げることができるというものである。
【特許文献１】特開２００４−１６７１１３号公報
【発明の開示】
【発明が解決しようとする課題】
【０００４】
上記従来の開閉式ハンガーによれば、アーム部を閉じた状態で衣服の襟ぐりから挿入するので、挿入時に襟ぐりを傷めることはない。しかしながら、挿入後にアーム部を開くときに衣服との摩擦が生じるため、スムーズに開くことができないという課題が残る。
【０００５】
図１４は、従来の開閉式ハンガー２００にＴシャツ１００を吊り下げる様子を示した図である。
開閉式ハンガー２００は、左アーム部２０１と右アーム部２０２と吊り具部２０３からなり、ヒンジ部２０４を介して左右のアーム部２０１，２０２が開閉可能となっている。
開閉式ハンガー２００にＴシャツ１００を吊り下げる場合には、最初に図１４（ａ）に示すように、左右のアーム部２０１，２０２を閉じた状態で、Ｔシャツ１００の襟ぐりから挿入する。
次に図１４（ｂ）に示すように、左右のアーム部２０１，２０２を開いて、Ｔシャツ１００の襟ぐりから肩にかけての部分が左右のアーム部２０１，２０２に掛かるようにする。
【０００６】
ここで、図１４（ａ）から図１４（ｂ）に遷移するとき、左右のアーム部２０１，２０２は図１４（ａ）のＡ方向に扇状に動いて開くこととなる。そうすると、左右のアーム部２０１，２０２はＴシャツ１００の脇部分と摩擦を生じてしまう。
また、図１４（ａ）に示すよりも左右のアーム部２０１，２０２を浅めに挿入した状態で開くことも考えられるが、その場合はＴシャツ１００の腕部分と摩擦を生じてしまう。
特に、Ｔシャツ１００を洗濯後に開閉式ハンガー２００に吊り下げて干そうとする場合には、Ｔシャツ１００は濡れた状態で下方に垂れ下がっており、抵抗が大きくスムーズに吊り下げることが難しい。
さらに、Ｔシャツ１００を開閉式ハンガー２００からはずすときには、左右のアーム部２０１，２０２は図１４（ｂ）のＢ方向に扇状に動いて閉じることとなり、同様にＴシャツ１００の腕部分や脇部分との摩擦を生じてしまう。
【０００７】
そこで、本発明は上記従来の課題を解決するためのものであり、Ｔシャツやトレーナーなど丸首の衣服をスムーズに着脱可能な開閉式ハンガーを提供することを目的とする。
【課題を解決するための手段】
【０００８】
上記従来の課題を解決するために、請求項１に係る発明の開閉式ハンガーは、ヒンジ部（４）を介して左右に開閉可能に接合された左アーム部（１）と右アーム部（２）と、前記ヒンジ部（４）の上方に形成され物干し竿等の棒状部材（９０）に吊り下げられる吊り具部（３）とからなる開閉式ハンガー（１０）であって、前記左右のアーム部（１，２）を開状態で保持する開状態保持手段（１４，２４）を備え、前記左右のアーム部（１，２）はそれぞれ、前記ヒンジ部（４）から下方に向けて延びる支持部（１１，２１）と、前記支持部（１１，２１）の先端を折曲部（１２，２２）としてその折曲部（１２，２２）から折曲されて外側に向けて延びる衣服受け部（１３，２３）により形成されており、前記左右のアーム部（１，２）が閉状態のとき、前記左アーム部（１）の折曲部（１２）は前記左右のアーム部（１，２）を２分する中心線（Ｘ）より右側に突出し、前記右アーム部（２）の折曲部（２２）は前記中心線（Ｘ）より左側に突出するとともに、前記左アーム部（１）の衣服受け部（１３）は左下方向に傾斜し、前記右アーム部（２）の衣服受け部（２３）は右下方向に傾斜し、さらに前記左右のアーム部（１，２）の先端の間隔（Ｙ）を、ハンガーで吊り下げられる衣服のえり天幅（Ｗ）よりも狭くしたことを特徴とする。
【０００９】
また、請求項２に係る発明は、請求項１に記載の発明において、前記左右のアーム部（１，２）を開く方向に付勢する開方向付勢手段（５）をさらに備えたことを特徴とする。
【００１０】
また、請求項３に係る発明は、請求項１に記載の発明において、前記左右のアーム部（１，２）を閉じる方向に付勢する閉方向付勢手段（７）をさらに備えたことを特徴とする。
【００１１】
また、請求項４に係る発明は、請求項１乃至請求項３のうちいずれか一つに記載の発明において、前記開状態保持手段は、前記左アーム部（１）の上端に形成された左吊り具部（５１）と前記右アーム部（２）の上端に形成された右吊り具部（５２）からなり、前記左吊り具部（５１）と前記右吊り具部（５２）が前記棒状部材（９０）に吊り下げられるとともに前記棒状部材（９０）を左右から挟持して、前記左右のアーム部（１，２）を開状態で保持することを特徴とする。
なお、請求項４における左吊り具部（５１）と右吊り具部（５２）は、請求項１における吊り具部（３）に該当するものである。
【００１２】
また、請求項５に係る発明は、請求項１乃至請求項３のうちいずれか一つに記載の発明において、前記開状態保持手段は、前記左右のアーム部（１，２）の一方の上端に形成された吊り具部（６２）と他方の上端に形成された係止部（６１）からなり、前記吊り具部（６２）が前記棒状部材（９０）に吊り下げられるとともに、前記吊り具部（６２）と前記係止部（６１）が前記棒状部材（９０）を左右から挟持して、前記左右のアーム部（１，２）を開状態で保持することを特徴とする。
なお、請求項５における吊り具部（６２）は、請求項１における吊り具部（３）に該当するものである。
【００１３】
また、請求項６に係る発明は、請求項１乃至請求項５のうちいずれか一つに記載の発明において、前記ヒンジ部（４）に替えてバネ部材（８）を介して左アーム部（１）と右アーム部（２）を左右に開閉可能に接合したことを特徴とする。
【００１４】
また、請求項７に係る発明は、請求項１乃至請求項６のうちいずれか一つに記載の発明において、前記左右のアーム部（１，２）が開状態のとき、前記左右のアーム部（１，２）の折曲部（１２，２２）の間隔（Ｚ）を、前記えり天幅（Ｗ）と同等にしたことを特徴とする。
【００１５】
なお、括弧内の記号は、発明を実施するための最良の形態および図面に記載された対応要素または対応事項を示す。
また、「えり天幅」とは、衣服の襟ぐりの部分の左右の幅のことをいう。
【発明の効果】
【００１６】
請求項１に記載の発明によれば、ハンガーの左アーム部と右アーム部をヒンジ部を介して接合し左右に開閉可能としているので、丸首の衣服を吊り下げる場合にハンガーを衣服の下方から挿入する必要がなく、襟ぐりから挿入することができる。
また、左右のアーム部を閉じたときの左右のアーム部の先端の間隔を、ハンガーで吊り下げられる衣服のえり天幅よりも狭くしているので、ハンガーを挿入するときに衣服の襟ぐりを本来の大きさよりも広げる必要がなく、襟ぐりを傷めることがない。
【００１７】
また、左右のアーム部はそれぞれ、ヒンジ部から下方に向けて延びる支持部と、支持部の先端を折曲部としてその折曲部から折曲されて外側に向けて延びる衣服受け部により形成されている。そして、左右のアーム部を閉じたとき、左アーム部の折曲部は右側に突出し、右アーム部の折曲部は左側に突出するとともに、左アーム部の衣服受け部は左下方向に傾斜し、右アーム部の衣服受け部は右下方向に傾斜する。
この状態でハンガーを衣服の襟ぐりから挿入し、左右のアーム部を徐々に開くと、左右のアーム部の衣服受け部が、衣服の襟ぐりから肩の部分に向けて滑り込むように移動するので、衣服との摩擦を軽減することができる。また、ハンガーからはずすときは、左右のアーム部を徐々に閉じることにより、衣服をハンガーの衣服受け部から滑り落とすことができる。
【００１８】
また、左右のアーム部を開状態で保持する開状態保持手段を備えているので、衣服を吊り下げるのに最適な位置でハンガーの開きを保持することができる。
【００１９】
また、請求項２に記載の発明によれば、請求項１に記載の発明の作用効果に加えて、左右のアーム部を開く方向に付勢する開方向付勢手段を備えているので、左右のアーム部を閉じて衣服の襟ぐりから挿入した後は、開方向付勢手段により自動的に左右のアーム部が開き、容易に衣服をハンガーに吊り下げた状態にすることができる。
【００２０】
また、請求項３に記載の発明によれば、請求項１に記載の発明の作用効果に加えて、左右のアーム部を閉じる方向に付勢する閉方向付勢手段を備えているので、ハンガーに吊り下がっている衣服をはずすときは、左右のアーム部を開状態で保持する開状態保持手段を解除すれば、閉方向付勢手段により自動的に左右のアーム部が閉じ、容易に衣服をハンガーからはずすことができる。
【００２１】
また、請求項４に記載の発明によれば、請求項１乃至請求項３のうちいずれか一つに記載の発明の作用効果に加えて、左アーム部の上端には左吊り具部が形成され、右アーム部の上端には右吊り具部が形成されているので、左右のアーム部が開状態のとき、左吊り具部と右吊り具部が物干し竿等の棒状部材に吊り下げられるとともに棒状部材を左右から挟持する。従って棒状部材を挟持した状態で左右のアーム部を開状態のまま保持することができる。
【００２２】
また、請求項５に記載の発明によれば、請求項１乃至請求項３のうちいずれか一つに記載の発明の作用効果に加えて、左右のアーム部の一方の上端には吊り具部が形成され、他方の上端には係止部が形成されているので、左右のアーム部が開状態のとき、吊り具部が物干し竿等の棒状部材に吊り下げられるとともに、吊り具部と係止部が棒状部材を左右から挟持する。従って棒状部材を挟持した状態で左右のアーム部を開状態のまま保持することができる。
【００２３】
また、請求項６に記載の発明によれば、請求項１乃至請求項５のうちいずれか一つに記載の発明の作用効果に加えて、ヒンジ部に替えてバネ部材を介して左アーム部と右アーム部を左右に開閉可能に接合するので、構造をより簡単にすることができる。
【００２４】
また、請求項７に記載の発明によれば、請求項１乃至請求項６のうちいずれか一つに記載の発明の作用効果に加えて、左右のアーム部を開いて開状態にしたとき、左右のアーム部の折曲部の間隔が衣服のえり天幅と同等となるようにしているので、衣服をハンガーに吊り下げたとき襟ぐりが皺にならないようにすることができる。
【発明を実施するための最良の形態】
【００２５】
次に、図１乃至図３を参照して、本発明の実施形態１に係る開閉式ハンガーについて説明する。
図１は本発明の実施形態１に係る開閉式ハンガー１０の開状態の正面図であり、図２は開閉式ハンガー１０の閉状態の正面図である。
また、図３は開閉式ハンガー１０にＴシャツ１００を吊り下げるときの手順を示す遷移図である。
【００２６】
図１に示すように、実施形態１に係る開閉式ハンガー１０は、左アーム部１と右アーム部２がヒンジ部４を介して接合され、左右に開閉可能となっている。また、ヒンジ部４の上方にはフック状の吊り具部３が形成され物干し竿等に吊るせるようになっている。
【００２７】
左アーム部１は、ヒンジ部４から下方に向けて延びる支持部１１と、支持部１１の先端を折曲部１２としてその折曲部１２から折曲されて外側（左側）に向けて延びる衣服受け部１３により形成されている。
同様に、右アーム部２は、ヒンジ部４から下方に向けて延びる支持部２１と、支持部２１の先端を折曲部２２としてその折曲部２２から折曲されて外側（右側）に向けて延びる衣服受け部２３により形成されている。
折曲部１２，２２の角度は、衣装受け部１３，２３が、衣服の襟ぐりから肩にかけての部分と平行となるような角度とする。
また、衣服受け部１３，２３は衣服の襟ぐりから肩にかけての部分に沿うように、直線状とするとよい。さらに、先端を丸くして衣服の抵抗をより小さくすることが好ましい。
また、支持部１１，２１の間隔は、片手で握れる程度の幅とするとよい。
【００２８】
ヒンジ部４には、左右のアーム部１，２を開く方向に付勢する開方向付勢手段として、バネ５が取り付けられている。そして、左右のアーム部１，２の上方には、開状態保持手段としての当接部１４，２４が設けられ、左右のアーム部１，２を開状態で保持するようになっている。
なお、開閉式ハンガー１０の左右のアーム部１，２が開状態のとき、折曲部１２と折曲部２２の間隔Ｚは、Ｔシャツ１００のえり天幅Ｗと同等となるように形成することが好ましい。
【００２９】
次に図２を参照して、開閉式ハンガー１０の左右のアーム部１，２が閉状態のときについて説明する。なお、図２に示すように左右のアーム部１，２を２分する線を中心線Ｘとする。
左右のアーム部１，２は、ヒンジ部４を中心軸として閉じられる。このとき、支持部１１，２１を片手で握るようにして閉じるとよい。
左右のアーム部１，２が閉状態のとき、左アーム部１の折曲部１２は中心線Ｘより右側に突出している。同様に、右アーム部２の折曲部２２は中心線Ｘより左側に突出している。
さらに、左アーム部１の衣服受け部１３は左下方向に傾斜し、右アーム部２の衣服受け部２３は右下方向に傾斜している。
そして、左右のアーム部１，２が閉状態のとき、左アーム部１の先端と右アーム部２の先端の間隔Ｙは、Ｔシャツ１００のえり天幅Ｗよりも狭くなるように形成されている。
【００３０】
ここで、開閉式ハンガー１０の材質としては、一般的なハンガーに用いられる針金や合成樹脂などを使用することができるが、左右のアーム部１，２を閉じるときに、折曲部１２，２２がすれ違って交差できる程度に可撓性のある部材を用いるとよい。ただし、可撓性部材を用いない場合であっても、折曲部１２，２２がすれ違って交差できるように、左右のアーム部１，２をそれぞれ前後（図１及び図２における紙面の表裏方向）にずらして形成することも可能である。
【００３１】
次に図３を参照して、実施形態１に係る開閉式ハンガー１０にＴシャツ１００を吊り下げるときの手順について説明する。ここでは、開閉式ハンガー１０の開閉は支持部１１，２１を片手で握ることにより行うものとする。
最初に図３（ａ）に示すように、開閉式ハンガー１０を握って閉状態とする。そして、先端をＴシャツ１００の襟ぐりから挿入する。このとき、左右のアーム部１，２の先端の間隔ＹがＴシャツ１００のえり天幅Ｗよりも狭いので、Ｔシャツ１００の襟ぐりを無理やり広げる必要はない。
また、開閉式ハンガー１０をＴシャツ１００の深くまで挿入する必要はなく、先端が少し挿入されればよい。
【００３２】
次に図３（ｂ）に示すように、開閉式ハンガー１０を握った手を徐々に緩める。そうすると、開方向付勢手段であるバネ５により、左右のアーム部１，２は徐々に開いていく。
このとき、開閉式ハンガー１０の衣服受け部１３，２３は、それぞれＴシャツ１００の襟ぐりから肩の部分にかけて滑り込んでいく。
【００３３】
最後に左右のアーム部１，２が最後まで開いて図３（ｃ）に示すような開状態になり、Ｔシャツ１００を吊り下げることができる。
このとき、開閉式ハンガー１０の当接部１４，２４が当接して左右のアーム部１，２を開状態で保持するようになっている。
また、開状態のときの左右のアーム部１，２の折曲部１２，２２の間隔Ｚが、Ｔシャツ１００のえり天幅Ｗと同等であるので、Ｔシャツ１００の襟ぐりが皺にならない。
【００３４】
一方、開閉式ハンガー１０からＴシャツ１００をはずすときには、開閉式ハンガー１０の支持部１１，２１を徐々に握って左右のアーム部１，２を閉じることにより、Ｔシャツ１００を衣服受け部１３，２３から滑り落とせばよい。
【００３５】
実施形態１に係る開閉式ハンガー１０によれば、ハンガー１０の左アーム部１と右アーム部２をヒンジ部４を介して接合し左右に開閉可能としているので、Ｔシャツ１００を吊り下げる場合にハンガー１０をＴシャツ１００の下方から挿入する必要がなく、襟ぐりから挿入することができる。
また、左右のアーム部１，２を閉じたときの左右のアーム部１，２の先端の間隔Ｙを、Ｔシャツ１００のえり天幅Ｗよりも狭くしているので、ハンガー１０を挿入するときにＴシャツ１００の襟ぐりを本来の大きさよりも広げる必要がなく、襟ぐりを傷めることがない。
【００３６】
また、左右のアーム部１，２はそれぞれ、ヒンジ部４から下方に向けて延びる支持部１１，２１と、支持部１１，２１の先端を折曲部１２，２２としてその折曲部１２，２２から折曲されて外側に向けて延びる衣服受け部１３，２３により形成されている。そして、左右のアーム部１，２を閉じたとき、左アーム部１の折曲部１２は中心線Ｘより右側に突出し、右アーム部２の折曲部２２は中心線Ｘより左側に突出するとともに、左アーム部１の衣服受け部１３は左下方向に傾斜し、右アーム部２の衣服受け部２３は右下方向に傾斜する。
この状態でハンガー１０をＴシャツ１００の襟ぐりから挿入し、左右のアーム部１，２を徐々に開くと、左右のアーム部１，２の衣服受け部１３，２３が、Ｔシャツ１００の襟ぐりから肩の部分に向けて滑り込むように移動するので、Ｔシャツ１００との摩擦を軽減することができる。また、ハンガー１０からはずすときは、左右のアーム部１，２を徐々に閉じることにより、Ｔシャツ１００をハンガー１０の衣服受け部１３，２３から滑り落とすことができる。
【００３７】
さらに、左右のアーム部１，２を開く方向に付勢するバネ５を備えているので、左右のアーム部１，２を閉じてＴシャツ１００の襟ぐりから挿入した後は、バネ５により自動的に左右のアーム部１，２が開き、容易にＴシャツ１００をハンガー１０に吊り下げた状態にすることができる。
また、左右のアーム部１，２を開状態で保持する当接部１４，２４を備えているので、Ｔシャツ１００を吊り下げるのに最適な位置でハンガー１０の開きを保持することができる。
【００３８】
また、左右のアーム部１，２を開いて開状態にしたとき、左右のアーム部１，２の折曲部１２，２２の間隔がＴシャツ１００のえり天幅Ｗと同等となるようにしているので、Ｔシャツ１００をハンガー１０に吊り下げたとき襟ぐりが皺にならないようにすることができる。
【００３９】
なお、実施形態１では吊り具部をフック状の吊り具部３としたが、これに限らず例えば図４に示す開閉式ハンガー２０のように、左右のアーム部１，２にそれぞれ鉤状片１５，２５を設け、ハンガー２０の開状態において鉤状片１５，２５を当接させて吊り具部として形成するようにしてもよい。
また、実施形態１では開方向付勢手段として、ヒンジ部４にバネ５を取り付けているが、これに限らず例えば図５に示す開閉式ハンガー３０のように、左右のアーム部１，２の上方をつなぐバネ６を取り付けてもよい。このときバネ６は収縮時に開方向保持手段としても機能する。
【００４０】
次に図６及び図７を参照して、実施形態２に係る開閉式ハンガー４０について説明する。
実施形態２に係る開閉式ハンガー４０は、実施形態１に係る開閉式ハンガー１０とほぼ同様の構成であるが、実施形態１における開方向付勢手段であるバネ５ではなく、閉方向付勢手段であるバネ７を備えている点、及び開状態保持手段の構成が異なる。
【００４１】
実施形態２に係る開閉式ハンガー４０では、ヒンジ部４にバネ７が取り付けられている。
バネ７は、左右のアーム部１，２を閉じる方向に付勢する閉方向付勢手段である。
また左右のアーム部１，２には、ヒンジ部４から上方に向けて、左右のアーム部１，２を開くためのグリップ部１７，２７が形成されている。
【００４２】
次に、グリップ部１７の上側には、先端に突起が形成された係止部１６が根元部分を軸として回動可能に設けられている。一方、グリップ部２７の上側には、係止部１６の先端の突起と嵌合するように凹部２６が設けられている。
図６に示す開状態において開閉式ハンガー４０は、係止部１６の先端の突起を凹部２６に嵌合することで、開状態として保持されている。このように係止部１６と凹部２６は開状態保持手段として機能するものである。
従って、開閉式ハンガー４０は、通常は図７に示すような閉状態であり、左右のアーム部１，２を開いて開状態にした後、係止部１６と凹部２６を嵌合して図６に示すような開状態に保持される。
【００４３】
次に、実施形態２に係る開閉式ハンガー４０にＴシャツ１００を吊り下げるときの手順について説明する。
最初に、開閉式ハンガー４０を閉状態とする。ただしハンガー４０はバネ７により通常時に閉状態とされているので力を加える必要はない。そして、先端をＴシャツ１００の襟ぐりから挿入する。このとき、開閉式ハンガー４０をＴシャツ１００の深くまで挿入する必要はなく、先端が少し挿入されればよい。
【００４４】
次に、開閉式ハンガー４０のグリップ部１７，２７を徐々に握っていく。そうすると、閉方向付勢手段であるバネ７に対抗して、左右のアーム部１，２は徐々に開いていく。
このとき、開閉式ハンガー４０の衣服受け部１３，２３は、それぞれＴシャツ１００の襟ぐりから肩の部分にかけて滑り込んでいく。
【００４５】
最後に左右のアーム部１，２が最後まで開いて開状態となったら、係止部１６の先端を凹部２６に嵌合させて、左右のアーム部１，２を開状態で保持する。
【００４６】
一方、開閉式ハンガー４０からＴシャツ１００をはずすときには、係止部１６の先端の突起を凹部２６からはずす。そうすると左右のアーム部１，２がバネ７により自動的に閉じるので、Ｔシャツ１００は衣服受け部１３，２３から滑り落ちる。
【００４７】
実施形態２に係る開閉式ハンガー４０によれば、実施形態１に係る開閉式ハンガー１０と同様に、Ｔシャツ１００を吊り下げる場合にハンガー４０をＴシャツ１００の下方から挿入する必要がなく、襟ぐりから挿入することができるとともに、襟ぐりを傷めることがない。
また、Ｔシャツ１００をハンガー４０に着脱するときの、ハンガー４０とＴシャツ１００の摩擦を軽減することができ、スムーズな着脱ができる。
【００４８】
さらに、左右のアーム部１，２を閉じる方向に付勢するバネ７を備えているので、ハンガー４０に吊り下がっているＴシャツ１００をはずすときは、左右のアーム部１，２を開状態で保持する係止部１６の先端の突起を凹部２６からはずせば、バネ７により自動的に左右のアーム部１，２が閉じ、容易にＴシャツ１００をハンガー４０からはずすことができる。
【００４９】
また、実施形態２においても、左右のアーム部１，２を開いて開状態にしたとき、左右のアーム部１，２の折曲部１２，２２の間隔がＴシャツ１００のえり天幅Ｗと同等となるようにして、Ｔシャツ１００をハンガー１０に吊り下げたとき襟ぐりが皺にならないようにすることができる。
【００５０】
なお、実施形態２における開閉式ハンガー４０において、バネ７が存在しない構成であってもよい。この場合、吊り下がっているＴシャツ１００をはずすときに、左右のアーム部１，２をバネにより付勢して閉じることはできないが、左右のアーム部１，２の自重やＴシャツ１００による負荷により左右のアーム部１，２が閉じる方向に力が働く。
【００５１】
次に図８及び図９を参照して、実施形態３に係る開閉式ハンガー５０について説明する。
実施形態３に係る開閉式ハンガー５０は、実施形態１に係る開閉式ハンガー１０とほぼ同様の構成であるが、実施形態１における開方向付勢手段であるバネ５が存在しない点、及び開状態保持手段の構成が異なる。
【００５２】
実施形態３に係る開閉式ハンガー５０では、ヒンジ部４にバネは取り付けられていない。
また、図９に示すように、左アーム部１の上端にはフック状の左吊り具部５１が形成され、右アーム部２の上端にはフック状の右吊り具部５２が形成されている。
図８に示す開状態において開閉式ハンガー５０は、左吊り具部５１と右吊り具部５２が重なるようにして一体の吊り具部を形成し、物干し竿等の棒状部材９０に吊り下げられるようになっている。
そして、棒状部材９０に吊り下げられたとき、左右のアーム部１，２の自重やＴシャツ１００による負荷により、左右のアーム部１，２には閉じる方向へと力が働く。そうすると、左吊り具部５１には左向きの力が、右吊り具部５２には右向きの力が働き、その結果、左吊り具部５１と右吊り具部５２が棒状部材９０を左右から挟持することとなる。
【００５３】
実施形態３に係る開閉式ハンガー５０によれば、左アーム部１の上端には左吊り具部５１が形成され、右アーム部２の上端には右吊り具部５２が形成されているので、左右のアーム部１，２が開状態のとき、左吊り具部５１と右吊り具部５２が物干し竿等の棒状部材９０に吊り下げられるとともに棒状部材９０を左右から挟持する。従って棒状部材９０を挟持した状態で左右のアーム部１，２を開状態のまま保持することができる。
【００５４】
次に図１０及び図１１を参照して、実施形態４に係る開閉式ハンガー６０について説明する。
実施形態４に係る開閉式ハンガー６０は、実施形態３に係る開閉式ハンガー５０とほぼ同様の構成であるが、開状態保持手段の構成が異なる。
【００５５】
実施形態４に係る開閉式ハンガー６０では、図１１に示すように、左アーム部１の上端には係止部６１が形成され、右アーム部２の上端にはフック状の吊り具部６２が形成されている。左アーム部１の上端に形成されるのが、実施形態３に係る開閉式ハンガー５０では左吊り具部５１であり、実施形態４に係る開閉式ハンガー６０では係止部６１である点が異なる。
図１０に示す開状態において開閉式ハンガー６０は、右アーム部２の上端に形成された吊り具部６２が、物干し竿等の棒状部材９０に吊り下げられるようになっている。
そして、棒状部材９０に吊り下げられたとき、左右のアーム部１，２の自重やＴシャツ１００による負荷により、左右のアーム部１，２には閉じる方向へと力が働く。そうすると、係止部６１には左向きの力が、吊り具部６２には右向きの力が働き、その結果、係止部６１と吊り具部６２が棒状部材９０を左右から挟持することとなる。
【００５６】
実施形態４における開閉式ハンガー６０によれば、左アーム部１の上端には係止部６１が形成され、右アーム部２の上端には吊り具部６２が形成されているので、左右のアーム部１，２が開状態のとき、吊り具部６２が物干し竿等の棒状部材９０に吊り下げられるとともに、係止部６１と吊り具部６２が棒状部材９０を左右から挟持する。従って棒状部材９０を挟持した状態で左右のアーム部１，２を開状態のまま保持することができる。
【００５７】
なお、実施形態３及び実施形態４においては、ヒンジ部４にバネを取り付けない構成としたが、実施形態１や実施形態２と同様に、開方向付勢手段や閉方向付勢手段としてバネを取り付けてもよい。
【００５８】
次に図１２及び図１３を参照して、実施形態５に係る開閉式ハンガー７０及び実施形態６に係る開閉式ハンガー８０について説明する。
実施形態５に係る開閉式ハンガー７０及び実施形態６に係る開閉式ハンガー８０は、実施形態１乃至実施形態４に係る開閉式ハンガーと異なり、ヒンジ部に替えてバネ部材を介して左アーム部１と右アーム部２を左右に開閉可能に接合したものである。
【００５９】
図１２に示すように、開閉式ハンガー７０においては、左アーム部１と右アーム部２の間に板バネ８が設けられ、左アーム部１の支持部１１の上部と、右アーム部２の支持部２１の上部にそれぞれ接合されている。
そして、左アーム部１の上端には係止部７１が形成されており、右アーム部２の上端には吊り具部７２が形成されている。左右のアーム部１，２が開状態のとき吊り具部７２が棒状部材９０に吊り下げられ、係止部７１と吊り具部７２が棒状部材９０を左右から挟持するようになっている。
【００６０】
また、図１３に示すように、開閉式ハンガー８０においては、左アーム部１と右アーム部２の間にコイルバネ９が設けられ、左アーム部１の支持部１１の上部と、右アーム部２の支持部２１の上部にそれぞれ接合されている。
そして、左アーム部１の上端には係止部８１が形成されており、右アーム部２の上端には吊り具部８２が形成されている。左右のアーム部１，２が開状態のとき吊り具部８２が棒状部材９０に吊り下げられ、係止部８１と吊り具部８２が棒状部材９０を左右から挟持するようになっている。
【００６１】
なお、左アーム部１と右アーム部２を接合するバネ部材は、板バネやコイルバネに限られない。また、バネ部材は、左右のアーム部１，２を開方向に付勢するものであっても、閉方向に付勢するものであってもよい。
【００６２】
実施形態５に係る開閉式ハンガー７０及び実施形態６に係る開閉式ハンガー８０によれば、ヒンジ部に替えてバネ部材８，９を介して左アーム部１と右アーム部２を左右に開閉可能に接合するので、構造をより簡単にすることができる。
特に、安価なハンガーに用いられる針金等の部材と組み合わせることにより、製造コストを抑制することができる。
【００６３】
なお、上記実施形態では、ハンガーに吊り下げる衣服をＴシャツ１００としたが、これに限らず、トレーナーやセーターなど丸首の衣服に効果的に使用することが可能である。
【図面の簡単な説明】
【００６４】
【図１】実施形態１に係る開閉式ハンガーの開状態の正面図である。
【図２】実施形態１に係る開閉式ハンガーの閉状態の正面図である。
【図３】実施形態１に係る開閉式ハンガーにＴシャツを吊り下げるときの手順を示す遷移図である。
【図４】他の実施形態に係る開閉式ハンガーの開状態の正面図である。
【図５】他の実施形態に係る開閉式ハンガーの開状態の正面図である。
【図６】実施形態２に係る開閉式ハンガーの開状態の正面図である。
【図７】実施形態２に係る開閉式ハンガーの閉状態の正面図である。
【図８】実施形態３に係る開閉式ハンガーの開状態の正面図である。
【図９】実施形態３に係る開閉式ハンガーの閉状態の正面図である。
【図１０】実施形態４に係る開閉式ハンガーの開状態の正面図である。
【図１１】実施形態４に係る開閉式ハンガーの閉状態の正面図である。
【図１２】実施形態５に係る開閉式ハンガーの開状態の正面図である。
【図１３】実施形態６に係る開閉式ハンガーの開状態の正面図である。
【図１４】従来例に係る開閉式ハンガーにＴシャツを吊り下げるときの手順を示す遷移図である。
【符号の説明】
【００６５】
１      左アーム部
２      右アーム部
３      吊り具部
４      ヒンジ部
５      バネ
６      バネ
７      バネ
８      板バネ
９      コイルバネ
１０      開閉式ハンガー
１１      支持部
１２      折曲部
１３      衣服受け部
１４      当接部
１５      鉤状片
１６      係止部
１７      グリップ部
２０      開閉式ハンガー
２１      支持部
２２      折曲部
２３      衣服受け部
２４      当接部
２５      鉤状片
２６      凹部
２７      グリップ部
３０      開閉式ハンガー
４０      開閉式ハンガー
５０      開閉式ハンガー
５１      左吊り具部
５２      右吊り具部
６０      開閉式ハンガー
６１      係止部
６２      吊り具部
７０      開閉式ハンガー
７１      係止部
７２      吊り具部
８０      開閉式ハンガー
８１      係止部
８２      吊り具部
９０      棒状部材
１００      Ｔシャツ
２００      開閉式ハンガー
２０１      右アーム部
２０２      左アーム部
２０３      吊り具部
２０４      ヒンジ部
Ｗ      えり天幅
Ｘ      中心線
Ｙ      左右のアーム部の先端の間隔（閉状態）
Ｚ      左右のアーム部の折曲部の間隔（開状態）
【図１】
2006218278.tif 000003
【図２】
2006218278.tif 000004
【図３】
2006218278.tif 000005
【図４】
2006218278.tif 000006
【図５】
2006218278.tif 000007
【図６】
2006218278.tif 000008
【図７】
2006218278.tif 000009
【図８】
2006218278.tif 000010
【図９】
2006218278.tif 000011
【図１０】
2006218278.tif 000012
【図１１】
2006218278.tif 000013
【図１２】
2006218278.tif 000014
【図１３】
2006218278.tif 000015
【図１４】
2006218278.tif 000016